(57)【特許請求の範囲】
【請求項１】
被写体を撮影して画像データを得る撮影手段と、
撮影時における撮影状況を判別する判別手段と、
前記画像データを評価する評価手段と、
前記撮影状況ごとの撮影回数、及び各回の撮影における前記評価手段の評価結果に基づいて、撮影者の撮影技量を前記撮影状況ごとに求める技量演算手段と、
前記技量演算手段の演算結果に基づく情報を報知する報知手段とを具備し、
前記技量演算手段は、前記撮影回数が多いほど、また前記評価手段による評価が高いほど高くなる熟練度を前記撮影状況ごとに求め、その熟練度を前記撮影技量として扱うことを特徴とするデジタルカメラ。
【請求項２】
前記報知手段は、前記撮影回数と前記撮影技量とを前記撮影状況ごとに重ねてグラフ表示することを特徴とする請求項１に記載のデジタルカメラ。
【請求項３】
前記報知手段は、前記撮影回数に対する前記撮影技量の変化を前記撮影状況ごとにグラフ表示することを特徴とする請求項１に記載のデジタルカメラ。
【請求項４】
被写体を撮影して画像データを得る撮影手段と、
撮影時における撮影状況を判別する判別手段と、
前記画像データを評価する評価手段と、
前記撮影状況ごとの撮影回数、及び各回の撮影における前記評価手段の評価結果に基づいて、撮影者の撮影技量を前記撮影状況ごとに求める技量演算手段と、
前記技量演算手段の演算結果に基づく情報を報知する報知手段とを具備し、
前記技量演算手段は、複数回の撮影における前記評価手段による評価の平均値を前記撮影状況ごとに求め、その平均値を前記撮影技量として扱い、
前記撮影回数と前記撮影技量とに基づき、撮影回数が多いほど、また前記撮影技量が低いほど高くなる優先度を前記撮影状況ごとに求める優先度演算手段を更に備え、
前記報知手段は、前記優先度が高い撮影状況の順に前記撮影技量に関するコメントを報知することを特徴とするデジタルカメラ。
【請求項５】
被写体を撮影して画像データを得る撮影手段と、
撮影時における撮影状況を判別する判別手段と、
前記画像データを評価する評価手段と、
前記撮影状況ごとの撮影回数、及び各回の撮影における前記評価手段の評価結果に基づいて、撮影者の撮影技量を前記撮影状況ごとに求める技量演算手段と、
前記演算された撮影技量が所定条件を満たす撮影状況が存在する場合に、その撮影状況に対する撮影技量をアップさせるためのカメラの補助機能の使用を許可する制御手段とを具備することを特徴とするデジタルカメラ。
【請求項６】
前記制御手段は、前記演算された撮影技量が所定値を下回る撮影状況が存在する場合に、その撮影状況に対する撮影技量をアップさせるためのカメラの補助機能を使用可能とすることを特徴とする請求項５に記載のデジタルカメラ。
【請求項７】
前記制御手段は、前記演算された撮影技量が所定値を上回る撮影状況が存在する場合に、その撮影状況に対する撮影技量をアップさせるためのカメラの補助機能を使用可能とすることを特徴とする請求項５に記載のデジタルカメラ。
【請求項８】
被写体を撮影して画像データを得る撮影手段と、
撮影時における撮影状況を判別する判別手段と、
前記画像データを評価する評価手段と、
前記撮影状況ごとの撮影回数、及び各回の撮影における前記評価手段の評価結果に基づいて、撮影者の撮影技量を前記撮影状況ごとに求める技量演算手段と、
前記撮影回数と前記撮影技量とに基づき、撮影回数が多いほど、また前記撮影技量が低いほど高くなる優先度を前記撮影状況ごとに求める優先度演算手段と、
所定の条件が成立したときに、前記優先度の高い撮影状況の順に、当該撮影状況に応じたカメラの買い換え推奨機種を報知する報知手段とを具備することを特徴とするデジタルカメラ。
【請求項９】
前記撮影状況ごとの優先度のうち最高優先度に対する最低優先度比率が所定値以上の場合は、前記撮影状況ごとの推奨機種とは別に、総合的な評価に応じた機種を推奨機種として報知することを特徴とする請求項８に記載のデジタルカメラ。
【請求項１０】
前記総合的な評価に応じた推奨機種はデジタル一眼レフカメラであることを特徴とする請求項９に記載のデジタルカメラ。
【発明の詳細な説明】
【技術分野】
【０００１】
本発明は、撮影状況ごとにユーザの撮影技量を判別可能なデジタルカメラに関する。
【背景技術】
【０００２】
撮影状況ごとに撮影枚数を計数し、予め定めた枚数に達するたびに、撮影技量が向上した旨を段階的にユーザに報知したり、使用可能な機能を追加するなどのサービスを行うカメラが知られている（例えば、特許文献１参照）。
【先行技術文献】
【特許文献】
【０００３】
【特許文献１】特開２００５−３５４６０６号公報
【発明の概要】
【発明が解決しようとする課題】
【０００４】
撮影技量の上達の度合いは人によってまちまちであり、何回撮影しても上達しないユーザもいる。このため、引用文献１のように単に撮影枚数のみによって技量を判定する方法では、必ずしもユーザにとって真に必要なサービスを提供できない。
【課題を解決するための手段】
【０００５】
本発明に係るデジタルカメラは、被写体を撮影して画像データを得る撮影手段と、撮影時における撮影状況を判別する判別手段と、画像データを評価する評価手段と、撮影状況ごとの撮影回数、及び各回の撮影における評価手段の評価結果に基づいて、撮影者の撮影技量を撮影状況ごとに求める技量演算手段と、技量演算手段の演算結果に基づく情報を報知する報知手段とを具備し、技量演算手段は、撮影回数が多いほど、また評価手段による評価が高いほど高くなる熟練度を撮影状況ごとに求め、その熟練度を撮影技量として扱うことを特徴とする。
本発明に係る他のデジタルカメラは、被写体を撮影して画像データを得る撮影手段と、撮影時における撮影状況を判別する判別手段と、前記画像データを評価する評価手段と、前記撮影状況ごとの撮影回数、及び各回の撮影における前記評価手段の評価結果に基づいて、撮影者の撮影技量を前記撮影状況ごとに求める技量演算手段と、前記技量演算手段の演算結果に基づく情報を報知する報知手段とを具備し、前記技量演算手段は、複数回の撮影における前記評価手段による評価の平均値を前記撮影状況ごとに求め、その平均値を前記撮影技量として扱い、前記撮影回数と前記撮影技量とに基づき、撮影回数が多いほど、また前記撮影技量が低いほど高くなる優先度を前記撮影状況ごとに求める優先度演算手段を更に備え、前記報知手段は、前記優先度が高い撮影状況の順に前記撮影技量に関するコメントを報知することを特徴とする。
本発明に係る他のデジタルカメラは、被写体を撮影して画像データを得る撮影手段と、撮影時における撮影状況を判別する判別手段と、画像データを評価する評価手段と、撮影状況ごとの撮影回数、及び各回の撮影における評価手段の評価結果に基づいて、撮影者の撮影技量を撮影状況ごとに求める技量演算手段と、演算された撮影技量が所定条件を満たす撮影状況が存在する場合に、その撮影状況に対する撮影技量をアップさせるためのカメラの補助機能の使用を許可する制御手段とを具備することを特徴とする。
本発明に係る他のデジタルカメラは、被写体を撮影して画像データを得る撮影手段と、撮影時における撮影状況を判別する判別手段と、画像データを評価する評価手段と、撮影状況ごとの撮影回数、及び各回の撮影における評価手段の評価結果に基づいて、撮影者の撮影技量を撮影状況ごとに求める技量演算手段と、撮影回数と撮影技量とに基づき、撮影回数が多いほど、また撮影技量が低いほど高くなる優先度を撮影状況ごとに求める優先度演算手段と、所定の条件が成立したときに、優先度の高い撮影状況の順に、当該撮影状況に応じたカメラの買い換え推奨機種を報知する報知手段とを具備することを特徴とする。
【発明の効果】
【０００６】
本発明によれば、ユーザにとって真に必要なサービスを提供できる。
【図面の簡単な説明】
【０００７】
【図１】デジタルカメラの制御系を示すブロック図。
【図２】撮影動作の手順を示すフローチャート。
【図３】撮影状況ごとの平均点、撮影回数、熟練度、優先度の演算例を示す図。
【図４】画像ファイルの構造を示す図。
【図５】図３の演算結果に基づくレーダーチャート表示の一例を示す図。
【図６】図３の演算結果に基づく熟練度の時系列表示の一例を示す図。
【図７】撮影状況ごとの追加補助機能を示す図。
【図８】撮影状況ごとの推奨機種を示す図。
【発明を実施するための形態】
【０００８】
図１〜図８により本発明の一実施形態を説明する。
図１はデジタルカメラの制御ブロック図である。撮影レンズ（ズームレンズ）１を透過した被写体光束は、撮像素子２で撮像され、その撮像信号は画像処理部３に入力される。画像処理部３を構成する画像処理回路３ａは、入力された撮像信号に種々の処理を施して画像データを生成する。画像データは、表示回路３ｂによる処理を経て、カメラ背面などに設けられた液晶モニタ４に表示される。撮影モード設定時には、上記撮像および画像表示が繰り返され、いわゆるライブビュー表示（スルー画表示）が行われる。撮像指示がなされると改めて撮像が行われ、生成された画像データは、コンピュータ１００で扱うことが可能な画像ファイルとして、記録／再生回路３ｃによりメモリカード等の記録媒体５に記録される。
【０００９】
再生モードでは、記録媒体５に記録された画像データを記録／再生回路３ｃにて読み出し、画像処理回路３ａおよび表示回路３ｂによる処理を経て液晶モニタ４に表示することができる。
【００１０】
ＣＰＵ６は、操作部７からの入力に応答して画像処理部３や不図示の回路を制御する。操作部７は、電源ボタンやレリーズボタン、再生操作や情報入力等で用いる各種操作部材等を含む。８はＲＯＭやＲＡＭから成るメモリである。
【００１１】
次に、本実施形態における情報／機能提供サービスについて説明する。
情報／機能提供サービスとは、基本的にユーザの撮影技量を撮影状況ごとに判定し、技量の低いユーザに対して情報提供やカメラ機能の追加を行うサービスである。
【００１２】
図２はＣＰＵ６による撮影モード時の制御を示すフローチャートである。なお、本発明と無関係の制御は図示を省略している。
レリーズボタンが操作されるとこのプログラムが起動され、まずステップＳ１でＣＰＵ６の指示に基づき撮影（撮像）が行われ、画像データが得られる。ステップＳ２では、ＣＰＵ６は、得られた画像データに基づいて画像を評価し、ポイント付けを行う。ＣＰＵ６による画像評価の判定基準は、手振れ量（像振れ量）、ピントの正確さ、露出の正確さ、構図の良否などである。
【００１３】
手振れ量は、画像解析によって判断してもよいし、撮影時の像振れセンサ（カメラに設けられる）の出力に基づいて判断してもよい。ただし、画像解析では被写体ブレも手振れとみなされるが、像振れセンサの場合は被写体ブレは検出されない。いずれの場合も振れ量が多いほどポイントは低くなる。
【００１４】
ピントの正確さは、例えばフォーカスエリアのコントラストで判断することができ、ピンぼけの度合いが高いほどポイントは低くなる。露出の正確さは、いわゆる白飛びや黒づぶれの度合いによって判断でき、その度合いが大きいほどポイントは低くなる。構図については、例えば特開平06-337467号公報に記載された方法により、種々の構図不良を判定できる。その他、被写体が人物であった場合には、顔の表情、目つぶりの有無、肌の色の善し悪し等も含めてポイント付けを行ってもよい。そして、各評価項目のポイントの合計値または平均値をその画像データに対するポイントとする。 
【００１５】
ステップＳ３では、ＣＰＵ６は撮影時における撮影状況を判別し、フラグのオン・オフ設定を行う。ここでいう「撮影状況」とは、被写体の種類、被写体照明光の方向や光量、撮影レンズ１の焦点距離などを含む概念である。本実施形態では、図３に示すように、撮影状況としての「人物」，「風景」，「順光」，「暗所」，「逆光」，「広角」，「望遠」，「接写」にそれぞれ対応するフラグＡ〜Ｈが用意されている。フラグＡ〜Ｈのうち、今回の撮影で該当するフラグがオンとなり、該当しないフラグはオフとなる。
【００１６】
ここで、フラグＡ，Ｂ，Ｈのオン・オフは、シーンモードで決定することができる。すなわち、ポートレートモードが設定されているときはフラグＡが、風景モードが設定されているときはフラグＢが、マクロモードが設定されているときにはフラグＨがオンとなる。また、顔認識が可能なカメラでは、画像中に顔が検出されたらフラグＡをオンするようにしてもよい。フラグＣ，Ｄ，Ｅのオン・オフは、測光結果あるいは画像中の輝度分布により決定できる。フラグＦ，Ｇについては、撮影レンズ１の焦点距離が所定値未満でフラグＦをオン、所定値以上でフラグＧをオンとする。
【００１７】
このようにして得られた画像のポイント情報、およびフラグのオン・オフ情報は、ＣＰＵ６によって、当該画像ファイルに埋め込まれる（ステップＳ４）とともに、カメラ内のメモリ８に記憶される（ステップＳ５）。作成された画像ファイルは、ＣＰＵ６の指示の基づき、記録媒体５に記録される（ステップＳ６）。
【００１８】
図４により画像ファイルへの情報埋め込みについて説明する。一般にカメラで作成される画像ファイルは、画像本体を構成する画像データと、その画像データに関する付加情報とを組み合わせて構成される。付加情報は、撮影日時や撮影条件といった種々の情報を含むが、本実施形態では、上記ポイント情報およびフラグのオン・オフ情報をタグデータとして付加情報に追加する。例えば図４（ａ）の画像データは、フラグ情報から、人物を順光条件下で広角で撮影したものであることが分かる。同様に図４（ｂ）の画像データは、人物を暗所において望遠で撮影したもの、図４（ｃ）の画像データは、広角で風景を撮影したものである。
【００１９】
このように画像ファイルに埋め込まれたタグデータは、後に画像検索で利用できる。例えば、点数が５０以上の画像ファイルを抽出したり、逆光で人物撮影した画像ファイルのみを抽出して一覧表示するといった処理が容易に行える。
【００２０】
次に、カメラのメモリ８に記憶されたタグデータの利用方法について説明する。
図３は８回分の撮影におけるフラグごとの集計結果を示し、左側の表は、画像評価によるポイントを適合するフラグに割り当てたものである。例えば画像番号１の画像データは、上記図４（ａ）のデータに相当し、フラグＡ，Ｃ，Ｆにポイント６０がそれぞれ割り当てられている。右側の表は、総合およびフラグごとの平均点Ａｖｅ、同撮影回数ｎ，同熟練度および同優先度の演算結果である。演算はＣＰＵ６によってなされる。
【００２１】
熟練度は、（ｎ×Ａｖｅ）／１００で表され、その値は、撮影回数ｎが多いほど、また平均点が高いほど大きくなる。ただし、撮影回数が多くても平均点が低いと熟練度はあまり上がらない。優先度は、情報／機能提供サービスを行う優先順位を決めるためのパラメータで、｛ｎ×（１００−Ａｖｅ）｝／１００で表される。この値は、撮影回数が多いほど、また平均点が低いほど大きくなるが、撮影回数が多くて平均点が高い場合よりも、撮影回数が少なくても平均点が低い方が優先度が高くなることがあり得る。これは、ユーザの技量がなかなか上達しない撮影状況ほどサービスが必要であるという考え方に基づく。
【００２２】
このように本実施形態では、撮影回数と画像の評価とに基づいて撮影技量（平均点Ａｖｅや熟練度）を求めるようにしたので、撮影回数のみで撮影技量を判断する従来と比べて、各撮影状況に応じた撮影技量を正確に求めることができ、以下に示すサービスにおいて、真に必要な情報や補助機能を提供できる。
【００２３】
ＣＰＵ６による情報／機能提供サービスの具体例を説明する。
図５は、液晶モニタ４に表示されたレーダーチャートの一例を示し、これは図３の演算結果に基づくものである。この表示では、フラグ（撮影状況）ごとの撮影回数および熟練度のチャートが重ねて表示される。これを見たユーザは  自身の得手／不得手を容易に知ることができる。
【００２４】
なお、図の例では撮影８回分のデータしかないが、撮影回数が増えるにつれて熟練度の信頼性は高まる。情報提供サービスにおいては、最近のＮ回分のデータに基づいて情報を表示するものとして、Ｎの値をユーザが選べるようにすることが望ましい（例えば、Ｎ＝５０，Ｎ＝１００，Ｎ＝全撮影回数など）。全撮影回数がＮに達するまでは表示を行わないようにしてもよいし、それまでの全撮影回数分のデータに基づく表示を行うようにしてもよい。これらは、レーダーチャート表示に限らず、以下に示すサービス表示においても同様である。
【００２５】
サービス表示のタイミングは、撮影待機中に何らかの操作を行うと表示されるようにしてもよいし、情報提供サービスモードを新たに設け、このモードを選択してからサービス内容（上記レーダーレーダーチャート表示や、以下の各サービス表示）を選択できるようにしてもよい。
【００２６】
図６は熟練度を液晶モニタ４に表示する時系列表示例であり、（ａ）は総合、（ｂ）はフラグＡ（人物）、（ｃ）はフラグＢ（風景）である。図示はしていないが、フラグＣ〜Ｈに関しても同様の表示がなされる。いずれの場合も横軸に撮影回数を、縦軸に熟練度をとっている。ユーザがこれを見ることで、全体的に、あるいは撮影状況ごとに撮影技量の上達の度合いを知ることができる。
【００２７】
更に他の情報提供サービスとして、撮影技量についてのコメントを液晶モニタ４に表示する例が考えられる。例えばフラグごとの平均点Ａｖｅを閾値Ａｖｅ１，Ａｖｅ２と比較し、Ａｖｅ≧Ａｖｅ１で「上手です」、Ａｖｅ１＞Ａｖｅ≧Ａｖｅ２で「この調子です」、Ａｖｅ２＞Ａｖｅで「もっとがんばりましょう」などのコメントを表示する。例えば、これらのコメントは予めメモリ８に記憶されているものとし、平均点Ａｖｅに基づいてＣＰＵ６により選択アームsr得たコメントが液晶モニタ４に表示されるものとする。この表示もフラグごとに行うが、その順序は上記優先度が高い順とする。優先度が高いということは、基本的には撮影回数が多いのに技量が上達しないということであり、そのような撮影状況に対するコメントは優先的に表示する。例えば、優先度の高い撮影状況順に上から下に表示してゆくことが考えられる。優先度が特に高いものについては、文字を大きくしたり、強調したり、色を変えてもよい。また、優先度が高いものから幾つかをまず表示し、それ以外のものは、何らかの操作が行われてから表示するようにしてもよい。
【００２８】
また、液晶モニタ４にタッチパネルを配したカメラでは、図５のレーダーチャート表示において、チャート内の表示をタッチすると、そのエリアに対応するフラグの平均点に応じたコメントを表示するようにしてもよい。
【００２９】
次に、撮影技量に応じて使用可能なカメラ機能を追加する例を説明する。
カメラには、失敗写真を防ぐための種々の補助機能が用意されているが、これらの補助機能は、ユーザによっては不要なものもあり、必要な補助機能はユーザによってまちまちである。このため、最初から全ての機能を使用可能とすると、機能が多すぎてユーザによっては煩わしさを感ずることがある。そこで、当初使える補助機能は最小限に抑え、ユーザの上達度を勘案して補助機能を追加することで、ユーザに真に必要な機能を提供できるようにする。
【００３０】
図７はフラグと追加すべき補助機能の対応を示し、これは、テーブルとして予めメモリ８に記憶されている。いずれの補助機能も、そのフラグに対応する撮影状況での撮像結果を良好にする（失敗写真を減らす）ための機能であり、初期状態では使用不可となっている。
【００３１】
一例として、ＣＰＵ６は撮影回数１００回ごとに平均点Ａｖｅをチェックし、ＣＰＵ６が平均点が所定値（例えば、上記Ａｖｅ２）以下のフラグがあると判定した場合に、そのフラグに対応する補助機能を使用可能とするよう制御する。これによれば、苦手な撮影状況をユーザが克服できる可能性が高まる。
【００３２】
例えばフラグＡに着目すると、全撮影回数が１００回に達した段階でフラグＡの平均点Ａｖｅが所定値以下であった場合は、例えば「顔認識ＡＦ」が追加される。「顔認識ＡＦ」は、公知のように被写体の顔を認識し、認識した顔にピントが合うようにＡＦ処理を行うというものである。これにより、人物撮影時の失敗写真を防げる可能性が高まる。
【００３３】
次に、全撮影回数が２００回に達した段階で、なおフラグＡの平均点が所定値以下であった場合は、例えば「笑顔レリーズ」が追加される。これは、被写体が笑顔であることを検出して自動的に画像記録を行うというものであり、これを利用すれば、一般に好ましい表情とされる笑顔で人物を撮影できる可能性が高まる。「目つぶりＢＳＳ」は、人物撮影の際に複数回撮像を行い、目つぶりのない画像を選んで記録するというものである。「美肌モード」は、画像処理によって人物の肌を美しい色合いで表現するというものである。
【００３４】
なお、いかなる失敗写真が多いかをカメラが分析し、それに応じて追加機能を決定してもよい。例えば、ＣＰＵ６が最初の１００回で目つぶりの写真が多いと判断した場合には、その時点で「目つぶりＢＳＳ」を追加するよう制御する。
【００３５】
図７に示した補助機能の幾つかを簡単に説明する。
ゆがみ補正：画像処理によって歪曲収差などを補正する。
ヒストグラム表示：画像の輝度分布をグラフ化して画面に表示する。
電子水準器表示：画面に水準器を表示し、水平が出せるようにする。
感度制限オート：ＩＳＯ感度の上限を制限し、ノイズの発生を抑える。
部分階調補正：明部はそのままで暗部を明るく補正し、黒つぶれを防ぐ。
グリッド表示：モニタなどにグリッドを表示し、水平，垂直をとり易くする。
ＢＳＳ：複数回撮影を行い、ベストショット（例えば、像振れの最も少なく画像データ）を選んで記録する。
なお、使用者によってフラグが選択されたときに、ＣＰＵ６はその選択されたフラグに対応する補助機能の使用説明が液晶モニタ４に表示されるよう制御すると、使用者にとって便利である。
【００３６】
以上では、苦手な撮影状況を克服するためにＣＰＵ６が補助機能を追加するよう制御する例を示したが、これとは逆に、技量が上達したことに対する報償として補助機能を追加するという考え方もある。この場合は、例えばＣＰＵ６は撮影回数１００回ごとに平均点Ａｖｅをチェックし、ＣＰＵ６が平均点が所定値（例えば、上記Ａｖｅ１）以上のフラグがある場合に、そのフラグに対応する補助機能を使用可能とするよう制御する。これによれば、上達するほど使用可能な機能が増えるので、ゲーム感覚で撮影を楽しめ、また技量の上達にも寄与する。
【００３７】
補助機能の追加は、その機能を実現するためのソフトウェアを外部から導入することで達成されるようにしてもよい。一例として、各種追加機能のソフトウェアをメーカーのＷｅｂサイトからダウンロードしてカメラに組み込めるようにしておき、機能の追加条件が成立したときに、カメラは該当する機能をダウンロードするためのパスワードを表示する。ユーザがメーカーサイトにアクセスしてパスワードを入力すると、その機能のダウンロードページが開かれ、ダウンロードが可能となる。ただし、この方法は、ソフトウェアのみで実現可能な機能に限って有効である。
【００３８】
次に、撮影技量に応じてカメラの買い換え推奨機種を表示する例を説明する。
本実施形態では、次の（１），（２）の条件のうち少なくともいずれか一方が満たされたときに、カメラの買い換え時期と考える。
（１）総撮影回数が所定回数（例えば、３０００枚）に達した
（２）当該カメラの発売日から所定年数（例えば、２年）が経過した
そして、買い換え時期に達したと判定すると、フラグごとに買い換え推奨機種を表示する。
【００３９】
図７はフラグごとの買い換え推奨機種の対応例を示し、これは、本実施形態のカメラが非一眼レフカメラ（いわゆるコンパクトカメラ）であることを前提としている。例えばカメラが通信機能を有していれば、上記（１），（２）のいずれかの条件が成立したときに、カメラがメーカーのＷｅｂページにアクセスし、フラグごとの推奨機種情報を入手するようにすることができる。あるいは、ユーザがパーソナルコンピュータ等を利用して情報を入手し、カメラに転送するようにしてもよい。図ではカメラの特徴が記載されているが、実際に入手する情報は、その特徴を持つカメラの機種名である。いずれの機種も、対応するフラグ（撮影状況）に有利な特徴を備えている。
【００４０】
そしてカメラが推奨機種情報を入手したことをＣＰＵ６により判定されると、液晶モニタ４に優先度が高いフラグの順に買い換え推奨機種名が表示される。例えば人物撮影が苦手なユーザであれば、人物撮影に強い機種が優先的に表示される。また、特にフラグごとの優先度のばらつきが小さい場合、すなわちユーザにとって特に得手（不得手）な撮影状況が存在しないような場合は、フラグ別ではなく総合の平均点に応じて推奨機種を表示する。この場合に表示される機種は、いかなる撮影状況にも対応したデジタル一眼レフカメラであり、図示のように総合平均点が７０未満の場合は入門機、７０以上９０未満の場合は中級機、９０以上の場合は上位機種が表示される。ばらつきの大小は、例えば、フラグごとの優先度のうちの最小値が最大値の９０％以上の場合に「ばらつき小」と判断するようにすればよい。
【００４１】
ユーザは、上記の推奨機種表示を参考にして次に購入するカメラを決めることで、自身に適したカメラを入手することができる。
【００４２】
なお、上述した種々の情報／機能提供サービスは、これらを全て備えている必要はなく、最低限一つのサービス機能を備えていればよい。
【符号の説明】
【００４３】
１  撮影レンズ
２  撮像素子
３  画像処理部
４  液晶モニタ
６  ＣＰＵ
【図１】
0005453998.tif 000002
【図２】
0005453998.tif 000003
【図３】
0005453998.tif 000004
【図４】
0005453998.tif 000005
【図５】
0005453998.tif 000006
【図６】
0005453998.tif 000007
【図７】
0005453998.tif 000008
【図８】
0005453998.tif 000009